(57)【要約】      （修正有）【課題】真空ポンプ等を使用した大掛かりな装置を使用することなく簡易な構成とし、軽量で割れ難く、取り扱いが容易で、気密性の優れた密閉容器を提供する。【解決手段】容器本体と、容器本体の開口部を塞ぎうる蓋部と、容器本体と蓋部とを閉止しうるシール部材とを有する密閉容器であって、容器本体と蓋部は、互いに嵌合しうるネジ部を有し、容器本体と蓋部は、ポリエチレンテレフタレートにより形成されると共に射出成形により形成され、蓋部は上面板部と、上面板部の外周端部に設けられた外周壁部と、容器本体の開口部の上端部を外周壁部との間に配置しうる内周壁部とを有し、シール部材は、上面板部の裏面側に固定されると共に外周壁部と内周壁部との間に配置され、蓋部が容器本体を閉止する場合には開口部の上端部に圧接しうる。【選択図】図１
0003139549.tif 000002
【実用新案登録請求の範囲】
【請求項１】
容器本体と、上記容器本体の開口部を塞ぎうる蓋部と、上記容器本体と上記蓋部とを閉止しうるシール部材とを有する密閉容器であって、
上記容器本体と上記蓋部は、互いに嵌合しうるネジ部を有し、
上記容器本体と上記蓋部は、ポリエチレンテレフタレートにより形成されると共に射出成形により形成され、
上記蓋部は、上面板部と、上記上面板部の外周端部に設けられた外周壁部と、上記容器本体の開口部の上端部を上記外周壁部との間に配置しうる内周壁部とを有し、
上記外周壁部の内周縁には、上記ネジ部の一方のネジ溝が形成されると共に、上記容器本体の上記開口部の外周縁には、上記一方のネジ溝と嵌合しうる上記ネジ部の他方のネジ溝が形成され、
上記シール部材は、上記上面板部の裏面側に固定されると共に上記外周壁部と上記内周壁部との間に配置され、上記蓋部が上記容器本体を閉止する場合には上記開口部の上端部に圧接しうることを特徴とする密閉容器。
【請求項２】
容器本体と、上記容器本体の開口部を塞ぎうる蓋部と、上記容器本体と上記蓋部とを閉止しうるシール部材とを有する密閉容器であって、
上記容器本体と上記蓋部は、互いに嵌合しうるネジ部を有し、
上記容器本体と上記蓋部は、ポリエチレンテレフタレートにより形成されると共に射出成形により形成され、
上記蓋部は、上面板部と、上記上面板部の外周端部に設けられた外周壁部と、上記容器本体の開口部の上端部を上記外周壁部との間に配置しうる内周壁部とを有し、
上記外周壁部の内周縁には、上記ネジ部の一方のネジ溝が形成されると共に、上記容器本体の上記開口部の外周縁には、上記一方のネジ溝と嵌合しうる上記ネジ部の他方のネジ溝が形成され、
上記開口部の内周縁には、上記容器本体と上記蓋部が閉止された場合に、上記蓋部の内周壁部の下方に配置される段差壁部が上記開口部に沿って延設され、
上記段差壁部の内周縁には、上記段差壁部の上面部と同一の高さ寸法を有し、上記シール部材を保持しうる凹部を有する複数の保持壁部が上記容器本体の径方向に延設され、
上記シール部材は、上記段差壁部の上面部と上記複数の保持壁部の上面部により支持固定され、上記蓋部が上記容器本体を閉止する場合には、上記蓋部の内周壁部の下端部に圧接しうることを特徴とする密閉容器。
【請求項３】
上記シール部材は、エチレンビニルアルコール共重合体フィルムにより被覆されたシート材であることを特徴とする請求項１または２記載の密閉容器。
【請求項４】
上記シール部材は、ブチルゴムであることを特徴とする請求項１または２記載の密閉容器。
【請求項５】
上記容器本体と上記蓋部とが閉止された場合に、上記容器本体と上記蓋部の間に形成される空間内に配置される副容器を有し、
上記副容器は、開口部を有する副容器本体と、上記開口部を塞ぎうる副容器蓋部とを有することを特徴とする請求項１〜４のいずれか１項に記載の密閉容器。
【請求項６】
上記副容器本体の底面部は上記容器本体の底面部の上面に固定され、上記副容器蓋部の上面部は上記蓋部の上面板部の裏面に固定され、
上記容器本体の開口部が上記蓋部により塞がれた場合に、上記副容器蓋部は上記副容器本体の開口部を塞ぎうることを特徴とする請求項５記載の密閉容器。
【請求項７】
脱酸素剤を収納しうることを特徴とする請求項１〜６のいずれか１項に記載の密閉容器。
【請求項８】
乾燥剤を収納しうることを特徴とする請求項１〜６のいずれか１項に記載の密閉容器。
【考案の詳細な説明】
【技術分野】
【０００１】
本発明は、密閉容器に係り、特に簡易な構成で、取り扱い容易な密閉容器に関する。
【０００２】
無酸素条件下で育成する嫌気性細菌の検体を培養するためには、一般に、無酸素環境を人為的に作り出す必要性がある。
従来より、嫌気性細菌の検体を培養するために真空ポンプにより装置内を減圧し、ガスボンベにより窒素ガスや二酸化炭素ガス等を導入して、培養に適した混合ガスを上記装置内に充満させることで、脱酸素空間を作り出していた（特許文献１）。
そして、ガラス製の密閉容器に収納された嫌気性細菌の検体を上記減圧された装置内に配置することにより嫌気性細菌の検体の培養を行うことが一般的であった。
【０００３】
しかしながら、このような真空ポンプを用いた装置を用いる場合、設備が大掛かりとなると共に費用が嵩むことになる。
また、一般的に使用されている減圧された装置内に配置される上記ガラス製の密閉容器は、重量であると共に割れ易いという不具合を有している。
【０００４】
このような不具合を解消するために、真空ポンプを用いた装置を用いることなく、取り扱いが容易な密閉容器が様々提案されている。（特許文献２、特許文献３）。
例えば、特許文献２には、容器本体と、上記容器本体の開口部を塞ぎうる蓋部と、上記容器本体と上記蓋部とを閉止しうるシール部材とを有する密閉容器であって、上記容器本体と上記蓋部は、互いに嵌合しうるネジ部を有し、上記容器本体と上記蓋部は、ポリエチレンテレフタレートにより形成されると共に射出成形により形成される密閉容器に関する技術が提案されている。
また、特許文献３には、容器本体と、上記容器本体の開口部を塞ぎうる蓋部と、上記容器本体と上記蓋部とを閉止しうるシール部材とを有する密閉容器であって、上記容器本体と上記蓋部は、互いに嵌合しうるネジ部を有する密閉容器に関する技術が提案されている。
【０００５】
しかしながら、蓋部で容器本体を閉止した場合に、蓋部の外周壁部と内周壁部との間に、容器本体の開口部の上端部を配置させることにより蓋部と容器本体の気密性を向上させ、さらに、互いに嵌合しうるネジ部を有すると共に上記開口部の上端の上面に圧接しうるシール部材を蓋部裏面に配置することにより、気密性を向上させる技術は開示されておらず、また、このような密閉容器を開示した他の特許文献は発見されなかった。
【０００６】
【特許文献１】実開昭５２−４７５９２号
【特許文献２】特開昭６２−２５１３５７号
【特許文献３】実開昭５４−１３６１３１号
【考案の開示】
【考案が解決しようとする課題】
【０００７】
そこで、本願発明の課題は、真空ポンプ等を使用した大掛かりな装置を使用することなく簡易な構成とし、軽量で割れ難く、取り扱いが容易で、気密性の優れた密閉容器を提供することにある。
【課題を解決するための手段】
【０００８】
上記課題を解決するために、請求項１記載の考案にあっては、容器本体と、上記容器本体の開口部を塞ぎうる蓋部と、上記容器本体と上記蓋部とを閉止しうるシール部材とを有する密閉容器であって、上記容器本体と上記蓋部は、互いに嵌合しうるネジ部を有し、上記容器本体と上記蓋部は、ポリエチレンテレフタレートにより形成されると共に射出成形により形成され、上記蓋部は、上面板部と、上記上面板部の外周端部に設けられた外周壁部と、上記容器本体の開口部の上端部を上記外周壁部との間に配置しうる内周壁部とを有し、上記外周壁部の内周縁には、上記ネジ部の一方のネジ溝が形成されると共に、上記容器本体の上記開口部の外周縁には、上記一方のネジ溝と嵌合しうる上記ネジ部の他方のネジ溝が形成され、上記シール部材は、上記上面板部の裏面側に固定されると共に上記外周壁部と上記内周壁部との間に配置され、上記蓋部が上記容器本体を閉止する場合には上記開口部の上端部に圧接しうることを特徴とする。
従って、容器本体と、上記容器本体の開口部を塞ぎうる蓋部と、上記容器本体と上記蓋部とを閉止しうるシール部材とを有する密閉容器であって、上記容器本体と上記蓋部は、互いに嵌合しうるネジ部を有し、上記容器本体と上記蓋部は、ポリエチレンテレフタレートにより形成されると共に射出成形により形成されているので簡易な構成である。
また、上記蓋部は、上面板部と、上記上面板部の外周端部に設けられた外周壁部と、上記容器本体の開口部の上端部を上記外周壁部との間に配置しうる内周壁部とを有し、上記外周壁部の内周縁には、上記ネジ部の一方のネジ溝が形成されると共に、上記容器本体の上記開口部の外周縁には、上記一方のネジ溝と嵌合しうる上記ネジ部の他方のネジ溝が形成され、上記シール部材は、上記上面板部の裏面側に固定されると共に上記外周壁部と上記内周壁部との間に配置され、上記蓋部が上記容器本体を閉止する場合には上記開口部の上端部に圧接しうるので、上記ネジ部により上記容器本体と上記蓋部が嵌合された場合には、上記蓋部の上記内周壁部と上記外周壁との間に上記容器本体の開口部の上端部が配置されると共に上記開口部の上端部は上記シール部材に圧接される構成である。
【０００９】
請求項２記載の考案にあっては、容器本体と、上記容器本体の開口部を塞ぎうる蓋部と、上記容器本体と上記蓋部とを閉止しうるシール部材とを有する密閉容器であって、上記容器本体と上記蓋部は、互いに嵌合しうるネジ部を有し、上記容器本体と上記蓋部は、ポリエチレンテレフタレートにより形成されると共に射出成形により形成され、上記蓋部は、上面板部と、上記上面板部の外周端部に設けられた外周壁部と、上記容器本体の開口部の上端部を上記外周壁部との間に配置しうる内周壁部とを有し、上記外周壁部の内周縁には、上記ネジ部の一方のネジ溝が形成されると共に、上記容器本体の上記開口部の外周縁には、上記一方のネジ溝と嵌合しうる上記ネジ部の他方のネジ溝が形成され、上記開口部の内周縁には、上記容器本体と上記蓋部が閉止された場合に、上記蓋部の内周壁部の下方に配置される段差壁部が上記開口部に沿って延設され、上記段差壁部の内周縁には、上記段差壁部の上面部と同一の高さ寸法を有し、上記シール部材を保持しうる凹部を有する複数の保持壁部が上記容器本体の径方向に延設され、上記シール部材は、上記段差壁部の上面部と上記複数の保持壁部の上面部により支持固定され、上記蓋部が上記容器本体を閉止する場合には、上記蓋部の内周壁部の下端部に圧接しうることを特徴とする。
従って、容器本体と、上記容器本体の開口部を塞ぎうる蓋部と、上記容器本体と上記蓋部とを閉止しうるシール部材とを有する密閉容器であって、上記容器本体と上記蓋部は、互いに嵌合しうるネジ部を有し、上記容器本体と上記蓋部は、ポリエチレンテレフタレートにより形成されると共に射出成形により形成されているので簡易な構成である。
【００１０】
請求項３記載の考案にあっては、上記シール部材は、エチレンビニルアルコール共重合体フィルムにより被覆されたシート材であることを特徴とする。
請求項４記載の考案にあっては、上記シール部材は、ブチルゴムであることを特徴とする。
【００１１】
請求項５記載の考案にあっては、上記容器本体と上記蓋部とが閉止された場合に、上記容器本体と上記蓋部の間に形成される空間内に配置される副容器を有し、上記副容器は、開口部を有する副容器本体と、上記開口部を塞ぎうる副容器蓋部とを有することを特徴とする。
従って、上記容器本体と上記蓋部とが閉止された場合に、上記容器本体と上記蓋部の間に形成される空間内に配置される副容器を有し、上記副容器は、開口部を有する副容器本体と、上記開口部を塞ぎうる副容器蓋部とを有するので、上記容器本体と上記蓋部とにより閉止された密閉容器の中に上記副容器を有する構成である。
【００１２】
請求項６記載の考案にあっては、上記副容器本体の底面部は上記容器本体の底面部の上面に固定され、上記副容器蓋部の上面部は上記蓋部の上面板部の裏面に固定され、上記容器本体の開口部が上記蓋部により塞がれた場合に、上記副容器蓋部は上記副容器本体の開口部を塞ぎうることを特徴とする。
従って、上記副容器本体の底面部は上記容器本体の底面部の上面に固定され、上記副容器蓋部の上面部は上記蓋部の上面板部の裏面に固定され、上記容器本体の開口部が上記蓋部により塞がれた場合に、上記副容器蓋部は上記副容器本体の開口部を塞ぎうることにより、上記容器本体と上記副容器本体が一体化されると共に上記蓋部と上記副容器蓋部が一体化されているので、上記容器本体の開口部が上記蓋部により塞がれた場合に、上記副容器蓋部が上記副容器本体の開口部を塞ぎうる構成である。
【００１３】
請求項７記載の考案にあっては、脱酸素剤を収納しうることを特徴とする。
請求項８記載の考案にあっては、乾燥剤を収納しうることを特徴とする。
【考案の効果】
【００１４】
請求項１記載の考案にあっては、容器本体と、上記容器本体の開口部を塞ぎうる蓋部と、上記容器本体と上記蓋部とを閉止しうるシール部材とを有する密閉容器であって、上記容器本体と上記蓋部は、互いに嵌合しうるネジ部を有する簡易な構成であるので、従来のように真空ポンプ等を使用した大掛かりな装置を使用することなく構成が簡易な密閉容器を提供することができる。
また、上記容器本体と上記蓋部は、ポリエチレンテレフタレートにより形成されているので、軽量で割れ難く、取り扱いが容易な密閉容器を提供することができる。
また、上記容器本体と上記蓋部は、互いに嵌合しうるネジ部を有する構成であるので、単に上記容器本体に上記蓋部を被せた場合と異なり密閉性が向上し、上記容器本体と上記蓋部とを嵌合させた後は、上記容器本体と上記蓋部との嵌合状態は解除し難いので、取り扱いが容易で密閉性の優れた密閉容器を提供することができる。
また、容器本体と上記蓋部は、射出成形により形成されているので、上記容器本体又は上記蓋部の形状を密閉性の高い形状に容易に成形することができる。
また、ネジ部により上記容器本体と上記蓋部が嵌合された場合には、上記蓋部の上記内周壁部と上記外周壁との間に上記容器本体の開口部の上端部が配置されると共に上記開口部の上端部は上記シール部材に圧接される構成であるので、気密性の優れた密閉容器を提供することができる。
【００１５】
請求項２記載の考案にあっては、ネジ部により上記容器本体と上記蓋部が嵌合された場合には、上記蓋部の内周壁部の下端部は上記容器本体の上記段差壁部の上面部に固定されている上記シール部材に圧接される構成であるので、気密性の優れた密閉容器を提供することができる。
【００１６】
請求項３記載の考案にあっては、上記シール部材は、エチレンビニルアルコール共重合体フィルムにより被覆されたシート材であるので、より気密性の優れた密閉容器を提供することができる。
【００１７】
請求項４記載の考案にあっては、上記シール部材は、ブチルゴムであるので、より気密性の優れた密閉容器を提供することができる。
【００１８】
請求項５記載の考案にあっては、容器本体と上記蓋部とにより閉止された密閉容器の中に上記副容器を有する構成であり、上記副容器の内部は、より気密性が優れているので、より気密性の優れた密閉容器を提供することができる。
【００１９】
請求項６記載の考案にあっては、容器本体と上記蓋部とにより閉止された密閉容器の中に上記副容器を有する構成であり、上記副容器の内部は、より気密性が優れているので、より気密性の優れた密閉容器を提供することができる。
また、上記容器本体と上記副容器本体が一体化されると共に上記蓋部と上記副容器蓋部が一体化されており、上記容器本体の開口部が上記蓋部により塞がれた場合に上記副容器蓋部が上記副容器本体の開口部を塞ぎうる構成であるので、取り扱いが容易であり、上記蓋部を閉めることにより容易に上記副容器の内部に検体等を収納できる。
【００２０】
請求項７記載の考案にあっては、気密性の優れた密閉容器内に脱酸素剤を収納することによって、容易に脱酸素状態での培養が必要な嫌気性細菌の検体の培養をすることができる。
【００２１】
請求項８記載の考案にあっては、気密性の優れた密閉容器内に乾燥剤を収納することによって、気密性の優れた乾燥状態を容易に作り出すことができる。
【考案を実施するための最良の形態】
【００２２】
以下、図面を用いて本考案の実施の形態について説明する。
図１又は図２に示すように、本実施の形態に係る密閉容器１０は、容器本体１１と、上記容器本体１１の開口部１２を塞ぎうる蓋部１３と、上記容器本体１１と上記蓋部１３とを閉止しうるシール部材１４とを有する密閉容器１０であって、上記容器本体１１と上記蓋部１３は、互いに嵌合しうるネジ部１５を有し、上記容器本体１１と上記蓋部１３は、ポリエチレンテレフタレートにより形成されると共に射出成形により形成され、上記蓋部１３は、上面板部１６と、上記上面板部１６の外周端部に設けられた外周壁部１７と、上記容器本体１１の開口部１２の上端部１８を上記外周壁部１７との間に配置しうる内周壁部１９とを有し、上記外周壁部１７の内周縁には、上記ネジ部１５の一方のネジ溝２０が形成されると共に、上記容器本体１１の上記開口部１２の外周縁には、上記一方のネジ溝２０と嵌合しうる上記ネジ部１５の他方のネジ溝２１が形成され、上記シール部材１４は、上記上面板部１６の裏面側に固定されると共に上記外周壁部１７と上記内周壁部１９との間に配置され、上記蓋部１３が上記容器本体１１を閉止する場合には上記開口部１２の上端部１８に圧接しうるように構成されている。
【００２３】
また、図８又は図９に示すように、容器本体１１と、上記容器本体１１の開口部１２を塞ぎうる蓋部１３と、上記容器本体１１と上記蓋部１３とを閉止しうるシール部材１４とを有する密閉容器１０であって、上記容器本体１１と上記蓋部１３は、互いに嵌合しうるネジ部１５を有し、上記容器本体１１と上記蓋部１３は、ポリエチレンテレフタレートにより形成されると共に射出成形により形成され、上記蓋部１３は、上面板部１６と、上記上面板部１６の外周端部に設けられた外周壁部１７と、上記容器本体１１の開口部１２の上端部１８を上記外周壁部１７との間に配置しうる内周壁部１９とを有し、上記外周壁部１７の内周縁には、上記ネジ部１５の一方のネジ溝２０が形成されると共に、上記容器本体１１の上記開口部１２の外周縁には、上記一方のネジ溝２０と嵌合しうる上記ネジ部１５の他方のネジ溝２１が形成され、上記開口部１２の内周縁には、上記容器本体１１と上記蓋部１３が閉止された場合に、上記蓋部１３の内周壁部１９の下方に配置される段差壁部４０が上記開口部１２に沿って延設され、上記段差壁部４０の内周縁には、上記段差壁部４０の上面部と同一の高さ寸法を有し、上記シール部材を保持しうる凹部４２を有する複数の保持壁部４１が上記容器本体１１の径方向に延設され、上記シール部材１４は、上記段差壁部４０の上面部と上記複数の保持壁部４１の上面部により支持固定され、上記蓋部１３が上記容器本体１１を閉止する場合には、上記蓋部１３の内周壁部１９の下端部４３に圧接しうるように構成されている。
【００２４】
また、上記シール部材１４は、エチレンビニルアルコール共重合体フィルムにより被覆されたシート材により構成されている。
また、上記シール部材１４は、ブチルゴムにより構成されている。
また、図３又は図４に示すように、上記容器本体１１と上記蓋部１３とが閉止された場合に、上記容器本体１１と上記蓋部１３の間に形成される空間内に配置される副容器２２を有し、上記副容器２２は、開口部２３を有する副容器本体２４と、上記開口部２３を塞ぎうる副容器蓋部２５とを有している。
また、図５又は図６に示すように、上記副容器本体２４の底面部３３は上記容器本体１１の底面部２７の上面に固定され、上記副容器蓋部２５の上面部３８は上記蓋部１３の上面板部１６の裏面に固定され、上記容器本体１１の開口部１２が上記蓋部１３により塞がれた場合に、上記副容器蓋部２５は上記副容器本体２４の開口部を塞ぎうる構成である。
【実施例１】
【００２５】
以下に、図面を用いて本実施例１について詳細を説明する。
図２に示すように、本実施例１に係る密閉容器１０は、平面略円状の薄厚皿状容器としてのシャーレに適用した場合の一例である。
図１又は２に示すように、本実施例１に係る密閉容器１０は、容器本体１１と、上記容器本体１１の開口部１２を塞ぎうる蓋部１３と、上記容器本体１１と上記蓋部１３とを閉止しうるシール部材１４とにより構成されている。
【００２６】
図２に示すように、上記容器本体１１は、円板状の底面部２７と、上記底面部２７の外周端に設けられた円筒状の周壁部２６とにより形成されている。
また、上記周壁部２６は、上記容器本体１１の開口部１２を形成している。
また、上記容器本体１１の上記周壁部２６の外周縁には、蓋部１３と嵌合しうるネジ部１５の他方のネジ溝２１が所定の間隔を置いて螺旋状に外周縁に沿って二周に亘り外周方向に凸状に形成されている。
また、図２に示すように、上記蓋部１３は、円板状の上面板部１６と、上記上面板部１６の外周端部に設けられた円筒状の外周壁部１７と、上記容器本体１１の開口部１２の上端部１８を上記外周壁部１７との間に配置しうる円筒状の内周壁部１９とにより形成されている。
また、上記蓋部１３の外周壁部１７の内周縁には、上記容器本体１１の他方のネジ溝２１と回転操作により嵌合しうるネジ部１５の一方のネジ溝２０が所定の間隔を置いて螺旋状に内周縁に沿って二周に亘り内周方向に凸状に形成されている。
【００２７】
また、上記容器本体１１と上記蓋部１３は、ポリエチレンテレフタレートにより形成されている。
ポリエチレンテレフタレート樹脂による成形品は、完全に空気を遮断することはないが、空気透過率が比較的低くガスバリア性に優れている。また、ガラス素材と比べて軽く割れ難いので、取り扱いが容易である。
また、上記容器本体１１と上記蓋部１３は、射出成形により形成されているので、例えば、図２に示すような本実施例１のように、上記蓋部１３が、上記外周壁部１７、上記内周壁部１９、上記一方のネジ溝２０により形成されている場合でも、上記蓋部１３を容易に形成することができる。
【００２８】
また、図１に示すように、上記シール部材１４は、ブチルゴムであり、上記蓋部１３の上面板部１６の裏面側に固定されると共に、図２に示すように、上記外周壁部１７と内周壁部１９との間に沿って環状に配置され、上記蓋部１３が上記容器本体１１に上記ネジ部１５を介して閉止する場合には、上記開口部１２の上端部１８に圧接しうるように形成されている。
ブチルゴムは、ガスバリア性に優れており、また、反発力を有する弾性部材であるので、上記のように上記開口部１２の上端部１８に圧接された場合には、上記上端部１８が上記シール部材１４としてのブチルゴムの反発力に抗してめり込むように圧接されるので、上記容器本体１１と上記蓋部１３との密閉度が向上するので、密閉容器１０の気密性を高めることができる。
【００２９】
また、シール部材１４の他の実施例として、図７に示すように、上記シール部材１４は、発泡ポリエチレンにより形成されたシート材３０の上下面がエチレンビニルアルコール共重合体フィルム２８，２９により被覆されたシート材３１により形成されている構成とすることもできる。
図７に示すように、上記シール部材１４としての上下面がエチレンビニルアルコール共重合体フィルム２８，２９により被覆されたシート材３１は、蓋部１３の上面板部１６の裏面側に上記シート材の上面側の上記エチレンビニルアルコール共重合体フィルム２８に固定されると共に上記外周壁部１７と内周壁部１９との間に沿って環状に配置され、上記蓋部１３が上記容器本体１１に上記ネジ部１５の嵌合により閉止する場合には、上記開口部１２の上端部１８に上記シート材３１の下面側の上記エチレンビニルアルコール共重合体フィルム２９に圧接しうるように配置されている。
また、上記エチレンビニルアルコール共重合体フィルム２８，２９は非常にガスバリア性に優れている。
また、上記発泡ポリエチレンにより形成されたシート材３０は、内部に気泡を含み圧接された場合には反発力を有するので、上記のように上記開口部１２の上端部１８に上記シート材が圧接された場合には、上記上端部１８が上記シール部材１４としての上記シート材３１の発泡ポリエチレンにより形成されたシート材３０の反発力に抗してめり込むように圧接されているので、上記容器本体１１と上記蓋部１３との密閉度が高まり、密閉容器１０の気密性を高めることができる。
【実施例２】
【００３０】
また、他の実施例として、図３又は４に示すように、上記容器本体１１と上記蓋部１３とが閉止された場合に、上記容器本体１１と上記蓋部１３の間に形成される空間３２内に配置される副容器２２を有する密閉容器１０としての実施例２がある。
上記実施例１と異なる点について、図面を用いて本実施例２について詳細を説明する。
図４に示すように、上記副容器２２は、開口部２３を有する副容器本体２４と、上記開口部２３を塞ぎうる副容器蓋部２５とを有する。
また、図４に示すように、上記副容器本体２４は、円板状の底面部３３と、上記底面部３３の外周端に設けられた円筒状の外周壁部３４とにより形成されている。
また、図４に示すように、上記外周壁部３４は、上記副容器本体２２の開口部２３を形成している。
また、図４に示すように、上記副容器蓋部２５は、円板状の上面部３８と、上記上面部３８の外周端に設けられた円筒状の外周壁部３７とにより形成されている。
また、上記副容器２２は、上記容器本体１１と上記蓋部１３とが閉止された場合に、上記容器本体１１と上記蓋部１３の間に形成される空間３２内に配置される。
また、図４に示すように、上記容器本体１１の底面部２７の表面側の略中央には、上記副容器本体２４の底面部３３を挿入して上記容器本体の底面部２７に載置しうると共に上記副容器２２の上記容器本体１１の径方向への移動を防止しうる円筒状の下部規制壁３５が設けられている。
また、図４に示すように、上記蓋部１３の上面板部１６の裏面側の略中央には、上記副容器２２が上記底面制限壁３５内の上記容器本体１１の底面部２７に載置されると共に上記容器本体１１と上記蓋部１３とが閉止された場合に、上記副容器２２の上記容器本体１１の径方向への移動を防止しうる円筒状の上部規制壁３６が設けられている。
【実施例３】
【００３１】
また、他の実施例として、図５又は６に示すように、上記副容器本体２４の底面部３３は上記容器本体１１の底面部２７の上面に固定され、上記副容器蓋部２５の上面部３８は上記蓋部１３の上面板部１６の裏面に固定されている密閉容器１０としての実施例３がある。
上記実施例１又は２と異なる点について、図面を用いて本実施例３について詳細を説明する。
図６に示すように、上記副容器２２は、開口部２３を有する副容器本体２４と、上記開口部２３を塞ぎうる副容器蓋部２５とを有する。
また、図５に示すように、上記副容器本体２４の底面部３３と上記容器本体の底面部２７とは一体に形成され、上記副容器蓋部２５の上面部３８と上記蓋部１３の上面板部１６とは一体に形成されている。
また、図６に示すように、上記副容器本体２４は、円状の底面部３３と、上記底面部３３の外周端に設けられた円筒状の外周壁部３４とにより形成され、上記容器本体１１の略中央に配置されている。
また、図６に示すように、上記外周壁部３４は、上記副容器本体２２の開口部２３を形成している。
また、図６に示すように、上記副容器蓋部２５は、円状の上面部３８と、上記上面部３８の外周端に設けられた円筒状の外周壁部３７とにより形成され、上記蓋部１３の略中央に配置されている。
また、上記副容器２２は、上記容器本体１１と上記蓋部１３とが閉止された場合に、上記容器本体１１と上記蓋部１３の間に形成される空間３２内に配置される。
また、図５に示すように、上記容器本体１１の開口部１２が上記蓋部１３により塞がれた場合に、上記副容器蓋部２５は上記副容器本体２４の開口部２３を塞ぎうるように構成されている。
【実施例４】
【００３２】
また、他の実施例としての実施例４について、図８又は図９を用いて説明する。
上記実施例１の構成と異なる上記容器本体１１を中心に、図面を用いて詳細を説明する。
図８に示すように、本実施例４に係る密閉容器１０は、実施例１と同様に、平面略円状の薄厚皿状容器としてのシャーレに適用した場合の一例である。
図８又は図９に示すように、実施例２に係る密閉容器１０は、容器本体１１と、上記容器本体１１の開口部１２を塞ぎうる蓋部１３と、上記容器本体１１と上記蓋部１３とを閉止しうるシール部材１４とにより構成されている。
【００３３】
図８に示すように、上記容器本体１１の上記開口部１２の内周縁には、上記容器本体１１と上記蓋部１３が閉止された場合に、上記蓋部１３の内周壁部１９の下方に配置される段差壁部４０が上記開口部１２に沿って環状に延設されている。
また、図９に示すように、上記開口部１２の内周縁には、上記段差壁部４０の外周縁に至るに従って径が小さくなる傾斜面部４４が形成されている。
また、図８に示すように、上記段差壁部４０の内周縁には、上記段差壁部４０の上面部と同一の高さ寸法を有し、上記シール部材１４を保持しうる凹部４２を有する１２個の保持壁部４１が上記容器本体１１の径方向に延設されると共に、図９（ａ）に示すように、上記容器本体１１の底面部２７から立設されている。
また、上記保持壁部４１の凹部４２は、上記段差壁部４０の上面部と、上記保持壁部４１の上面部と、上記保持壁部４１の内端部に形成された上記シール部材１４を係止しうる凸部４５と、上記傾斜面部４４とにより形成されている。
また、上記シール部材１４は、図８（ｂ）に示すように環状に形成され、上記段差壁部４０の上面部と上記１２個の保持壁部４１の上面部により支持固定され、上記蓋部１３が上記容器本体１１を閉止する場合には、上記蓋部１３の内周壁部１９の下端部４３に圧接しうるように構成されている。
なお、上記容器本体１１と上記蓋部１３は、ポリエチレンテレフタレートにより形成されている点、及びシール部材１４の構成については実施例１と同様である。
【００３４】
以下に、上記実施例１の作用について説明する。
図１に示すような密閉容器１０を使用して、嫌気性細菌の検体を培養する場合を例に説明する。
嫌気性細菌の検体を培養するためには、一般に、無酸素環境を人為的に作り出す必要性があるので、上記密閉容器１０の内部に酸素を吸収しうる脱酸素剤を収納して、脱酸素環境を作る。
また、脱酸素剤を上記密閉容器１０に収納する際に、同時に嫌気性細菌の検体を収納することにより、脱酸素状態の環境で嫌気性細菌の検体の培養を行うことができる。
ここで、上記密閉容器１０の気密性が優れている場合には、嫌気性細菌の検体の培養を良好な状態で行うことができる。
【００３５】
まず、図２に示すような密閉容器１０の容器本体１１の底面部２７上に脱酸素剤及び嫌気性細菌の検体を載置する。
そして、上記脱酸素剤を、酸素を吸収しうるような状態にしてから、手早く、容器本体１１の開口部１２に蓋部１３を被せる。
この場合、ネジ部１５が設けられていることから、上記蓋部１３の下端側の一方のネジ溝２０と上記容器本体１１の上端側の他方のネジ溝２１が当接している状態であるので、上記密閉容器１０は閉止されていない。
【００３６】
次に、上記一方のネジ溝２０と上記他方のネジ溝２１が嵌合するように回転操作により、上記蓋部１３を回転させ締めていく。
そして、図１に示すように、上面板部１６の裏面側に固定されると共に上記外周壁部１７と上記内周壁部１９との間に配置されたシール部材１４に容器本体１１の開口部１２の上端部１８が圧接されるまで、上記蓋部１３を回転させ締める。
このような操作により、上記容器本体１１の開口部１２の上端部１８は、上記蓋部１３の外周壁部１７と内周壁部１９の間に配置されると共に上記開口部１２の上端部１８は上記シール部材１４としてのブチルゴムに圧接される構成であるので、気密性の優れた密閉容器１０となる。
このようにネジ部１５により嵌合させた場合、単に上記容器本体１１に上記蓋部１６を被せた場合と異なり密閉性が向上し、上記容器本体１１と上記蓋部１６とを嵌合させた後は、上記容器本体１１と上記蓋部１６との嵌合状態は解除し難いので、取り扱いが容易で気密性の優れた密閉容器１０となる。
【００３７】
また、ブチルゴムは、ガスバリア性に優れており、また、反発力を有する弾性部材であるので、上記のように上記開口部１２の上端部１８に圧接された場合には、上記上端部１８が上記シール部材１４としてのブチルゴムの反発力に抗してめり込むように圧接され、上記容器本体１１と上記蓋部１３との密閉度が高まるので、密閉容器１０の気密性を高めることができる。
【００３８】
また、図７に示すように、上記シール部材１４が、エチレンビニルアルコール共重合体フィルム２８，２９により被覆されたシート材３１である場合には、上記エチレンビニルアルコール共重合体フィルム２８，２９は非常にガスバリア性に優れており、上記シート材を構成する発泡ポリエチレンにより形成されたシート材３０は、内部に気泡を含み圧接された場合には反発力を有するので、上記のように上記開口部１２の上端部１８に圧接された場合には、上記発泡ポリエチレンにより形成されたシート材３０の反発力に抗してめり込むように圧接されているので、上記容器本体１１と上記蓋部１３との密閉度が高まり、密閉容器１０の気密性を高めることができる。
【００３９】
また、図１に示すように、上記容器本体１１と上記蓋部１３は、ポリエチレンテレフタレートにより形成されているので、軽量で割れ難く、取り扱いが容易で、気密性の優れた密閉容器１０を提供することができる。
また、上記容器本体１１と上記蓋部１３は、射出成形により形成されているので、上記容器本体１１又は上記蓋部１３の形状を密閉性の高い形状に容易に成形できる。
【００４０】
このように、密閉容器１０は、気密性が優れているので、嫌気性細菌の検体の培養を良好な状態で行うことができる。
また、軽量で割れ難く、真空ポンプ等を使用した大掛かりな装置を使用することなく取り扱いが容易であるので、嫌気性細菌の検体の培養を容易に行うことができる。
【００４１】
以下に、上記実施例２の作用について、上記実施例１の作用と異なる点について説明する。
図３に示すように、上記容器本体１１と上記蓋部１３とが閉止された場合に、上記容器本体１１と上記蓋部１３の間に形成される空間３２内に配置される副容器２２を有する密閉容器１０を使用して、嫌気性細菌の検体の培養を行うことができる。
このような場合には、まず、図４に示すように、副容器２２の副容器本体２４の底面部３３上に脱酸素剤及び嫌気性細菌の検体を載置して、副容器蓋部２５により上記副容器本体２４の開口部２３を塞ぐ。
次に、副容器蓋部２５に塞がれた上記副容器２２を、下部規制壁３５に規制された上記容器本体１１の底面部２７上に載置し、脱酸素剤を副容器２４の副容器本体２２の上記副容器２２の載置されていない容器本体１１の底面部２７上に載置する。
次に、上記蓋部１３により上記容器本体１１の開口部１２を上記実施例１の作用に示すように閉止する。
この場合、上記副容器２２は、開口部２３を有する副容器本体２４と、上記開口部２３を塞ぎうる副容器蓋部２５とを有しており、ある程度の気密性は確保されているが、特別な気密向上のための手段は施されていないため、上記副容器２２のみを使用して嫌気性細菌の検体の培養を良好な状態で行う程、気密性は優れてはいない。
しかしながら、上記実施例１に示すように、上記容器本体１１と上記蓋部１３の間に形成される空間３２の気密性は優れているので、上記副容器２２を、上記容器本体１１と上記蓋部１３の間に形成される空間３２内に収納することにより、ある程度の気密性が確保されている上記副容器２２の内部においては、容器本体１１と上記蓋部１３とが閉止された場合に形成される空間３２の気密性より優れた気密性を有することとなる。
従って、上記副容器２２の内部は、上記容器本体１１と上記蓋部１３で密閉された空間３２より気密性が優れているので、より気密性の優れた密閉容器１０を提供することができる。
【００４２】
また、上記副容器２２の上記容器本体１１上の径方向への移動は、上記下部規制壁３５及び上部規制壁３６により規制されているので、密閉容器１０を他の場所へ移動する場合においても、副容器２２の上記容器本体１１上での移動が防止され、取り扱いが容易である。
【００４３】
以下に、上記実施例３の作用について、上記実施例１及び２の作用と異なる点について説明する。
図５に示すように、上記容器本体１１と上記蓋部１３とが閉止された場合に、上記容器本体１１と上記蓋部１３の間に形成される空間３２内に配置される副容器２２を有する密閉容器１０を使用して、嫌気性細菌の検体の培養を行うことができる。
このような場合には、まず、図６に示すように、副容器２２の副容器本体２４の底面部３３上に脱酸素剤及び嫌気性細菌の検体を載置すると共に脱酸素剤を上記副容器２２の載置されていない容器本体１１の底面部２７上に載置する。
次に、上記蓋部１３により上記容器本体１１の開口部１２を上記実施例１の作用に示すように閉止する。
この場合、上記副容器２２は、開口部２３を有する副容器本体２４と、上記開口部２３を塞ぎうる副容器蓋部２５とを有しており、ある程度の気密性は確保されているが、特別な気密向上のための手段は施されていないため、上記副容器２２のみを使用して嫌気性細菌の検体の培養を良好な状態で行う程、気密性は優れてはいない。
しかしながら、上記実施例１に示すように、上記容器本体１１と上記蓋部１３の間に形成される空間３２の気密性は優れているので、上記副容器２２を、上記容器本体１１と上記蓋部１３の間に形成される空間３２内に収納することにより、ある程度の気密性が確保されている上記副容器２２の内部においては、容器本体１１と上記蓋部１３とが閉止された場合に形成される空間３２の気密性より優れた気密性を有することとなる。
従って、上記副容器２２の内部は、上記容器本体１１と上記蓋部１３で密閉された空間３２より気密性が優れているので、より気密性の優れた密閉容器１０を提供することができる。
また、上記容器本体と上記副容器本体が一体化されると共に上記蓋部と上記副容器蓋部が一体化されており、上記容器本体の開口部が上記蓋部により塞がれた場合に上記副容器蓋部が上記副容器本体の開口部を塞ぎうる構成であるので、取り扱いが容易であり、上記副容器２２を別に容易する必要がなく、上記副容器蓋を別に閉める必要もないため、上記蓋部を閉めることのみにより容易に上記副容器の内部に脱酸素剤又は嫌気性細菌を収納できる。
【００４４】
また、本考案に係る密閉容器１０を使用して脱酸素剤を使用せず嫌気性検体の培養をおこなうような場合、例えば、真空ポンプ等を使用した装置で脱酸素状態を作り出して、その脱酸素状態の中で上記密閉容器１０に嫌気性検体を収納してから、密閉容器１０の外部が脱酸素状態の場所に移動する場合であっても、上記密閉容器１０は気密性に優れているので、嫌気性検体の培養を良好な状態で行うことができる。
【００４５】
以下に、上記実施例４の作用について、上記実施例１の作用と異なる点を中心に説明する。
図８又は図９に示すような密閉容器１０を使用して、嫌気性細菌の検体を培養する場合を例に説明する。
実施例１の場合と同様に、図９に示すような密閉容器１０の容器本体１１の底面部２７上に脱酸素剤及び嫌気性細菌の検体を載置してから、上記脱酸素剤を、酸素を吸収しうるような状態にしてから、手早く、容器本体１１の開口部１２に蓋部１３を被せる。
この場合、ネジ部１５が設けられていることから、上記蓋部１３の下端側の一方のネジ溝２０と上記容器本体１１の上端側の他方のネジ溝２１が当接している状態であるので、上記密閉容器１０は閉止されていない。
【００４６】
次に、上記一方のネジ溝２０と上記他方のネジ溝２１が嵌合するように回転操作により、上記蓋部１３を回転させ締めていく。
この場合、上記容器本体１１の開口部１２の内周縁には、上記段差壁部４０の外周縁に至るに従って径が小さくなる傾斜面部４４が形成されているので、上記蓋部１３を容易に締めることができる。
【００４７】
そして、図９に示すように、上記段差壁部４０の上面部と上記１２個の保持壁部４１の上面部により保持固定されたシール部材１４に蓋部１３の内周壁部１９の下端部４３が圧接されるまで、上記蓋部１３を回転させ締める。
この場合、図９（ａ）に示すように、上記シール部材１４は、上記段差壁部４０の上面部と上記１２個の保持壁部４１の上面部により保持固定されると共に上記保持壁部４１の凹部４２より保持固定されているので、上記シール部材１４が脱落することはなく、上記保持壁部４１が設けられていない図９（ｂ）のような箇所においても、上記蓋部１３の内周壁部１９の下端部４３は上記シール部材１４を圧接することができる。
このような操作により、上記蓋部１３の内周壁部１９の下端部４３は、上記段差壁部４０の上面部に保持固定された上記シール部材１４に圧接される構成であるので、気密性の優れた密閉容器１０となる。
このようにネジ部１５により嵌合させた場合、単に上記容器本体１１に上記蓋部１６を被せた場合と異なり密閉性が向上し、上記容器本体１１と上記蓋部１６とを嵌合させた後は、上記容器本体１１と上記蓋部１６との嵌合状態は解除し難いので、取り扱いが容易で気密性の優れた密閉容器１０となる。
【００４８】
また、上記シール部材１４が、ブチルゴム又は、エチレンビニルアルコール共重合体フィルム２８，２９により被覆されたシート材３１である点については実施例１の場合と同様であり、上記容器本体１１と上記蓋部１３との密閉度が上記シール部材１４により高まるので、密閉容器１０の気密性を高めることができる。
【００４９】
また、実施例１に示す場合と同様に、図９に示すような上記容器本体１１と上記蓋部１３は、ポリエチレンテレフタレートにより形成されているので、軽量で割れ難く、取り扱いが容易で、気密性の優れた密閉容器１０を提供することができる。
また、上記容器本体１１と上記蓋部１３は、射出成形により形成されているので、上記容器本体１１又は上記蓋部１３の形状を密閉性の高い形状に容易に成形できる。
【００５０】
このように、実施例４に示す密閉容器１０は、実施例１に示す密閉容器１０と同様に気密性が優れているので、嫌気性細菌の検体の培養を良好な状態で行うことができる。
【００５１】
また、実施例４には示していないが、実施例２又は実施例３に示すように、上記容器本体１１と上記蓋部１３とが閉止された場合に、図３又は図５に示すような上記容器本体１１と上記蓋部１３の間に形成される空間３２内に配置される副容器２２を有する密閉容器１０とすることもできる。
この場合、上記副容器２２の内部は、上記容器本体１１と上記蓋部１３で密閉された空間３２より気密性が優れているので、より気密性の優れた密閉容器１０を提供することができる。
【００５２】
また、上記実施例１、２、３及び４の作用においては、嫌気性細菌の検体を培養する場合において、上記密閉容器１０の内部に酸素を吸収しうる脱酸素剤を収納する一例について説明したが、上記密閉容器１０は気密性に優れているので、使用目的により、他の用途にも使用することができる。
例えば、上記密閉容器１０は気密性に優れているので、乾燥剤としてのシリカゲルを収納することにより、収納容器１０の内部を乾燥状態にして、その乾燥状態を長時間に亘って保持することができる。
【００５３】
また、本実施の形態にあっては、平面略円状の薄厚皿状容器としてのシャーレに適用した場合を例に説明したが、本密閉容器１０は、シャーレに限定されるものではなく、試験管やボトル形状の容器等にも適用することができる。
【産業上の利用可能性】
【００５４】
本考案は、広く密閉容器に係り、気密性の優れた密閉容器に適用することができる。
【図面の簡単な説明】
【００５５】
【図１】本考案に係る密閉容器の一実施の形態を示す断面図である。
【図２】本考案に係る密閉容器の一実施の形態を示す斜視図である。
【図３】本考案に係る密閉容器の内部に副容器が配置された一実施の形態を示す断面図である。
【図４】本考案に係る密閉容器の内部に副容器が配置された一実施の形態を示す斜視図である。
【図５】本考案に係る密閉容器の内部に副容器が固定された一実施の形態を示す斜視図である。
【図６】本考案に係る密閉容器の内部に副容器が固定された一実施の形態を示す斜視図である。
【図７】本考案に係る密閉容器のシール部材の一実施の形態を示す一部断面図である。
【図８】（ａ）は本考案に係る密閉容器の蓋部、（ｂ）は容器本体の一実施の形態を示す平面図である。
【図９】（ａ）は本考案に係る密閉容器の図８のＡ−Ａ線断面図、（ｂ）は本考案に係る密閉容器の図８のＢ−Ｂ線断面図である。
【符号の説明】
【００５６】
１０  密閉容器
１１  容器本体    
１２  開口部
１３  蓋部  
１４  シール部材  
１５  ネジ部  
１６  上面板部
１７  外周壁部  
１８  開口部の上端部
１９  内周壁部  
２０  一方のネジ溝  
２１  他方のネジ溝
２２  副容器
２３  開口部  
２４  副容器本体
２５  副容器蓋部  
２６  周壁部
２７  底面部
２８  エチレンビニルアルコール共重合体フィルム
２９  エチレンビニルアルコール共重合体フィルム
３０  発泡ポリエチレンにより形成されたシート材
３１  シート材
３２  容器本体と蓋部の間に形成される空間
３３  副容器本体の底面部
３４  副容器本体の外周壁部
３５  下部規制壁
３６  上部規制壁
３７  副容器蓋部の外周壁部
３８  副容器蓋部の上面部
４０  段差壁部
４１  保持壁部
４２  凹部
４３  内周壁部の下端部
４４  傾斜面部
４５  凸部
【図１】
0003139549.tif 000003
【図２】
0003139549.tif 000004
【図３】
0003139549.tif 000005
【図４】
0003139549.tif 000006
【図５】
0003139549.tif 000007
【図６】
0003139549.tif 000008
【図７】
0003139549.tif 000009
【図８】
0003139549.tif 000010
【図９】
0003139549.tif 000011